(57)【要約】【課題】文書を参照しながら文書を作成する際の文字入力の負担を軽減する。【解決手段】文書作成装置１０は、文書を作成する際に参照する１又は複数の参照文書を保持し、文書に入力する入力文字列を取得し、取得された入力文字列に基づいて、保持される１又は複数の参照文書から文字列を検索し、検索された文字列に基づいて、入力文字列を補完する１又は複数の語句を含む補完語句群を生成し、生成された補完語句群の少なくとも一部を提示する。【選択図】図１
2011048482.tif 000002
【特許請求の範囲】
【請求項１】
文書を作成する際に参照する１又は複数の参照文書を保持する参照文書保持手段と、
前記文書に入力する入力文字列を取得する取得手段と、
前記取得手段により取得された入力文字列に基づいて、前記参照文書保持手段に保持される１又は複数の参照文書から文字列を検索する検索手段と、
前記検索手段により検索された文字列に基づいて、前記入力文字列を補完する１又は複数の語句を含む補完語句群を生成する生成手段と、
前記生成手段により生成された補完語句群の少なくとも一部を提示する提示手段と、を含む
ことを特徴とする文書作成システム。
【請求項２】
前記検索手段は、前記１又は複数の参照文書から前記入力文字列を含む文字列を検索する
ことを特徴とする請求項１に記載の文書作成システム。
【請求項３】
前記生成手段は、前記補完語句群に含まれる各語句の提示優先度を、前記検索手段により検索された文字列における当該各語句の出現頻度に基づいて生成し、
前記提示手段は、前記補完語句群に含まれる各語句を前記生成された提示優先度に応じて提示する
ことを特徴とする請求項１又は２に記載の文書作成システム。
【請求項４】
前記１又は複数の参照文書の種類毎に、当該種類の参照文書から検索された文字列に基づいて生成された語句の選択頻度を記録する記録手段をさらに含み、
前記生成手段は、前記補完語句群に含まれる各語句の提示優先度を、前記検索手段により検索された文字列における当該各語句の出現頻度と、当該各語句が検索された参照文書の種類について前記記録手段に記録される選択頻度とに基づいて生成する
ことを特徴とする請求項３に記載の文書作成システム。
【請求項５】
複数の語句を格納した語句情報の中から前記入力文字列に関連する語句を検索する語句検索手段をさらに含み、
前記生成手段は、前記検索手段により検索された文字列と、前記語句検索手段により検索された語句とに基づいて、前記補完語句群を生成する
ことを特徴とする請求項１乃至４のいずれかに記載の文書作成システム。
【請求項６】
コンピュータを、
文書を作成する際に参照する１又は複数の参照文書を保持する参照文書保持手段と、
前記文書に入力する入力文字列を取得する取得手段と、
前記取得手段により取得された入力文字列に基づいて、前記参照文書保持手段に保持される１又は複数の参照文書から文字列を検索する検索手段と、
前記検索手段により検索された文字列に基づいて、前記入力文字列を補完する１又は複数の語句を含む補完語句群を生成する生成手段と、
前記生成手段により生成された補完語句群の少なくとも一部を提示する提示手段として機能させるためのプログラム。
【発明の詳細な説明】
【技術分野】
【０００１】
本発明は、文書作成システム及びプログラムに関する。
【背景技術】
【０００２】
文書作成を行う際に、入力された文字列を補完する語句を推測し提示することがある。例えば、下記の特許文献１には、入力文字列の形態素解析の結果に基づいて、予め用意された辞書情報の中から選択した補完語句を提示する技術が開示されている。
【先行技術文献】
【特許文献】
【０００３】
【特許文献１】特開平７−２７１７７４号公報
【発明の概要】
【発明が解決しようとする課題】
【０００４】
本発明の目的の一つは、文書を参照しながら文書を作成する際の文字入力の負担を軽減できる文書作成システム及びプログラムを提供することにある。
【課題を解決するための手段】
【０００５】
上記目的を達成するために、請求項１に記載の文書作成システムの発明は、文書を作成する際に参照する１又は複数の参照文書を保持する参照文書保持手段と、前記文書に入力する入力文字列を取得する取得手段と、前記取得手段により取得された入力文字列に基づいて、前記参照文書保持手段に保持される１又は複数の参照文書から文字列を検索する検索手段と、前記検索手段により検索された文字列に基づいて、前記入力文字列を補完する１又は複数の語句を含む補完語句群を生成する生成手段と、前記生成手段により生成された補完語句群の少なくとも一部を提示する提示手段と、を含むことを特徴とする。
【０００６】
また、請求項２に記載の発明は、請求項１に記載の文書作成システムにおいて、前記検索手段は、前記１又は複数の参照文書から前記入力文字列を含む文字列を検索することを特徴とする。
【０００７】
また、請求項３に記載の発明は、請求項１又は２に記載の文書作成システムにおいて、前記生成手段は、前記補完語句群に含まれる各語句の提示優先度を、前記検索手段により検索された文字列における当該各語句の出現頻度に基づいて生成し、前記提示手段は、前記補完語句群に含まれる各語句を前記生成された提示優先度に応じて提示することを特徴とする。
【０００８】
また、請求項４に記載の発明は、請求項３に記載の文書作成システムにおいて、前記１又は複数の参照文書の種類毎に、当該種類の参照文書から検索された文字列に基づいて生成された語句の選択頻度を記録する記録手段をさらに含み、前記生成手段は、前記補完語句群に含まれる各語句の提示優先度を、前記検索手段により検索された文字列における当該各語句の出現頻度と、当該各語句が検索された参照文書の種類について前記記録手段に記録される選択頻度とに基づいて生成することを特徴とする。
【０００９】
また、請求項５に記載の発明は、請求項１乃至４のいずれかに記載の文書作成システムにおいて、複数の語句を格納した語句情報の中から前記入力文字列に関連する語句を検索する語句検索手段をさらに含み、前記生成手段は、前記検索手段により検索された文字列と、前記語句検索手段により検索された語句とに基づいて、前記補完語句群を生成することを特徴とする。
【００１０】
また、請求項６に記載のプログラムの発明は、コンピュータを、文書を作成する際に参照する１又は複数の参照文書を保持する参照文書保持手段と、前記文書に入力する入力文字列を取得する取得手段と、前記取得手段により取得された入力文字列に基づいて、前記参照文書保持手段に保持される１又は複数の参照文書から文字列を検索する検索手段と、前記検索手段により検索された文字列に基づいて、前記入力文字列を補完する１又は複数の語句を含む補完語句群を生成する生成手段と、前記生成手段により生成された補完語句群の少なくとも一部を提示する提示手段として機能させるためのプログラムである。
【発明の効果】
【００１１】
請求項１及び６に記載の発明によれば、本構成を有しない場合に比較して、文書を参照しながら文書を作成する際の文字入力の負担を軽減できる。
【００１２】
請求項２に記載の発明によれば、本構成を有しない場合に比較して、参照文書に含まれる文字列を抜き出して文書に入力する負担を軽減できる。
【００１３】
請求項３に記載の発明によれば、本構成を有しない場合に比較して、提示された補完語句群の中から補完語句を選択するのが容易になる。
【００１４】
請求項４に記載の発明によれば、本構成を有しない場合に比較して、選択される頻度が高い参照文書から生成された補完語句が提示されやすくなる。
【００１５】
請求項５に記載の発明によれば、参照文書から入力文字列に基づいて文字列が検索されなかった場合にも補完語句が提示できる。
【図面の簡単な説明】
【００１６】
【図１】第１の実施形態に係る文書作成装置の機能ブロック図である。
【図２】ＵＩ画面の一例を示す図である。
【図３】入力文字列の取得処理の一例を説明するフローチャートである。
【図４】文字列検索処理の一例を説明するフローチャートである。
【図５】フレーズソースリストの一例を示す図である。
【図６】補完語句生成処理の一例を説明するフローチャートである。
【図７】フレーズリストの一例を示す図である。
【図８】第２の実施形態に係る文書作成装置の機能ブロック図である。
【図９】第３の実施形態に係る文書作成装置の機能ブロック図である。
【図１０】第４の実施形態に係る文書作成装置の機能ブロック図である。
【発明を実施するための形態】
【００１７】
以下、本発明を実施するための実施の形態（以下、実施形態という）を、図面に従って説明する。以下説明する実施形態は、予め作成された文書（例えば、患者の入院時所見レポートや検査レポート等）を参照しながら、当該参照する文書の内容を要約する要約文書（例えば、退院時サマリ文書や紹介状等）を作成する場面に本発明を適用したものである。
【００１８】
［第１の実施形態］
図１には、本発明の第１の実施形態に係る文書作成装置１０の機能ブロック図を示した。図１に示されるように、文書作成装置１０は、入力部１２、表示部１４、参照文書格納部１６、参照文書保持部１８、参照文書表示制御部２０、作成文書保持部２２、入力文字列取得部２４、文字列検索部２６、補完語句生成部２８、及び作成文書表示制御部３０を備える。
【００１９】
上記の各部の機能は、ＣＰＵ等の制御手段、メモリ等の記憶手段、外部デバイスとデータを送受信する入出力手段等を備えたコンピュータが、コンピュータ読み取り可能な情報記憶媒体に格納されたプログラムを読み込み実行することで実現されるものとしてよい。なお、プログラムは情報記憶媒体によってコンピュータたる文書作成装置１０に供給されることとしてもよいし、インターネット等のデータ通信手段を介して供給されることとしてもよい。
【００２０】
入力部１２は、図示しないキーボードやマウス等の入力デバイスから情報入力を受けつけるものである。本実施形態では、入力部１２により受け付けた情報に基づいて、作成対象の文書に文字情報が入力される。
【００２１】
表示部１４は、液晶ディスプレイ等の表示装置にＵＩ（ユーザーインターフェース）画面を表示するものである。表示装置は、文書作成装置１０に含まれていてもよいし、文書作成装置１０の外部に設けられていてもよい。
【００２２】
図２には、表示部１４に表示されるＵＩ画面４０の一例を示した。図２に示されるように、ＵＩ画面４０には、文書の作成時に参照する参照文書を表示する参照文書表示画面４４と、参照文書を参照しながら作成する文書を表示する文書作成画面４２とが含まれる。
【００２３】
参照文書表示画面４４には、１又は複数の参照文書が表示されるものであり、患者の退院時のサマリー文書を作成する場合を例にとると、患者の診療記録文書、検査レポート、過去に作成した他の患者の退院時のサマリー文書等が参照文書として選択され、参照文書表示画面４４に表示されることとしてよい。
【００２４】
本実施形態では、文書作成画面４２にカーソルがある状態で文字情報が入力されると、上記入力された文字情報に基づいて、参照文書表示画面４４に表示される参照文書の中から、当該入力された文字情報の補完語句が検索される。そして、検索された補完語句のリストが文書作成画面４２上に表示される。以下、上記の処理を実現するために文書作成装置１０に備えられる機能について説明する。
【００２５】
参照文書格納部１６は、文書の作成時に参照する文書（参照文書）を格納したデータベースである。本実施形態では、参照文書格納部１６には、患者の診療記録文書や、検査レポート、過去に作成した退院時のサマリー文書等の各種の文書情報が格納されている。
【００２６】
参照文書保持部１８は、参照文書格納部１６に格納された文書の中から参照文書として選択された文書のデータを保持するものである。本実施形態では、入力部１２によりユーザから受け付けた文書名等に基づいて参照文書を選択し、当該選択された参照文書のデータを保持することとしてよい。
【００２７】
参照文書表示制御部２０は、参照文書保持部１８により保持される参照文書のデータに基づいて、参照文書の内容を表示部１４に表示するものである。本実施形態では、参照文書表示制御部２０は、参照文書保持部１８に保持される少なくとも一部の参照文書を参照文書表示画面４４に表示することとする。参照文書表示画面４４に表示される参照文書は、ユーザの選択に応じて切り替えることとしてよい。
【００２８】
作成文書保持部２２は、参照文書を参照しながら作成している文書（作成文書）のデータを保持するものである。作成文書保持部２２は、入力部１２により受け付けた文字情報を作成文書の内容として保持する。
【００２９】
入力文字列取得部２４は、作成文書保持部２２により保持される作成文書の内容として入力される文字情報に基づいて、入力されている文字列（入力文字列）を取得するものである。例えば、入力文字列としては、ユーザにより現在入力されている文字を含む所定数の文字を取得することとしてもよいし、現在入力されている文字を含む形態素のまとまりを取得することとしてもよい。
【００３０】
図３には、入力文字列取得部２４による入力文字列の取得処理の一例を説明するフローチャートを示した。図３に示されるように、入力文字列取得部２４は、ユーザからの入力イベントを監視し（Ｓ１０１）、入力イベントが行われた場合には（Ｓ１０２：Ｙ）、タイマーが起動されているか否かを確認し（Ｓ１０３）、起動されていない場合には（Ｓ１０３：Ｎ）、タイマーを起動する（Ｓ１０４）。
【００３１】
入力文字列取得部２４は、入力された文字データをバッファに追加し（Ｓ１０５）、バッファに格納された文字の数が規定文字数に達したと判断される場合（Ｓ１０６：Ｙ）、又はバッファに格納された文字の数が規定文字数に達していないと判断される場合であっても（Ｓ１０６：Ｎ）、タイマーにより計時される時間が規定時間に達したと判断される場合には（Ｓ１０７：Ｙ）、バッファに格納された文字列のデータを入力文字列として取得する（Ｓ１０８）。
【００３２】
入力文字列取得部２４は、タイマーにより計時される時間が規定時間に達していないと判断する場合には（Ｓ１０７：Ｎ）、処理Ｓ１０１に戻ってそれ以降の処理を繰り返す。なお、入力文字列取得部２４は、入力文字列を取得した後には、バッファをクリアし（Ｓ１０９）、さらにタイマーを停止して（Ｓ１１０）、処理を終了しない場合には（Ｓ１１１：Ｎ）、Ｓ１０１に戻ってそれ以降の処理を繰り返し、処理を終了する場合には（Ｓ１１１：Ｙ）、入力文字の取得処理を終える。Ｓ１１１の処理の終了とは、例えば文書作成の終了であってもよいし、補完候補の提示機能の終了であってもよい。
【００３３】
文字列検索部２６は、入力文字列取得部２４により取得された入力文字列を検索キーとして、参照文書保持部１８により保持される参照文書の中から文字列を検索するものである。本実施形態では、文字列検索部２６は、参照文書保持部１８により保持される参照文書に含まれる文字データから、入力文字列の出現箇所を特定し、当該特定した出現箇所から、入力文字列を含む文字列を規定長もしくは形態素の区切り等の基準に基づいて抽出し、抽出した文字列を検索結果とする。参照文書内の検索範囲は、参照文書全体としてもよいし、参照文書の一部としてもよい。参照文書の一部を検索範囲とする場合には、例えば参照文書表示画面４４に表示されている参照文書を検索範囲に設定することとしてもよいし、参照文書内の特定の項目や領域を検索範囲に設定することとしてもよい。
【００３４】
図４には、文字列検索部２６により行われる文字列検索処理の一例を説明するフローチャートを示した。図４に示されるように、文字列検索部２６は、入力文字列取得部２４から入力文字列を取得し（Ｓ２０１）、変数ｉの初期値を参照文書保持部１８により保持される参照文書の数（Ｎ）に設定する（Ｓ２０２）。
【００３５】
文字列検索部２６は、ｉが０であるか否かを判断し（Ｓ２０３）、ｉが０でない場合には（Ｓ２０３：Ｎ）、i番目の参照文書のデータを取得し（Ｓ２０４）、取得した参照文書のデータから入力文字列が出現する箇所を特定する（Ｓ２０５）。文字列検索部２６は、入力文字列が出現する場合には（Ｓ２０６：Ｙ）、入力文字列の出現箇所を含む規定範囲の文字列をフレーズソースリストに追加する（Ｓ２０７）。文字列検索部２６は、ｉの値をデクリメントして（Ｓ２０８）、処理Ｓ２０３に戻りそれ以降の処理を繰り返す。また、文字列検索部２６は、ｉの値が０であると判断する場合には（Ｓ２０３：Ｙ）、生成したフレーズソースリストを出力して（Ｓ２０９）、文字列検索処理を終了する。
【００３６】
図５には、文字列検索部２６による検索処理の結果出力されるフレーズソースリストの一例を示した。図５に示されるように、フレーズソースリストは、文字列ＩＤ（フレーズソースＩＤ）に関連づけて、検索文字列のテキストデータ、検索文字列が含まれる参照文書ＩＤが格納されたテーブルとして構成されることとしてよい。
【００３７】
補完語句生成部２８は、文字列検索部２６による検索処理の結果得られたフレーズソースリストから、入力文字列を補完する１又は複数の語句を含む補完語句群を生成するものである。本実施形態では、補完語句生成部２８は、フレーズソースリストに含まれる文字列から入力文字列を除外した規定範囲の語句（文字列）を抽出し、上記抽出した語句の重複数に応じて各語句の頻度カウンタを計数する。また、補完語句生成部２８は、フレーズソースリストに含まれる文字列の全てについて語句の抽出処理を行った後に、当該抽出された語句について計数した頻度カウンタに基づいて並び替えてフレーズリストを生成する。
【００３８】
図６には、補完語句生成部２８により行われる補完語句生成処理の一例を説明するフローチャートを示した。図６に示されるように、補完語句生成部２８は、文字列検索部２６からフレーズソースリストを取得し（Ｓ３０１）、変数ｉの初期値を１に設定する（Ｓ３０２）。
【００３９】
補完語句生成部２８は、ｉがフレーズソースリストに含まれる文字列の数Ｋに達したか否かを判断し（Ｓ３０３）、達していないと判断する場合には（Ｓ３０３：Ｎ）、ｉ番目のフレーズソース（文字列）を取得する（Ｓ３０４）。
【００４０】
補完語句生成部２８は、上記取得したフレーズソースから得られる語句が既にフレーズリストにあるか否かを判断し（Ｓ３０５）、あると判断する場合には（Ｓ３０５：Ｙ）、当該語句のカウントを１増やし（Ｓ３０６）、ないと判断する場合には（Ｓ３０５：Ｎ）、当該語句をフレーズリストに追加する（Ｓ３０７）。
【００４１】
補完語句生成部２８は、ｉをインクリメントして（Ｓ３０８）、処理Ｓ３０３に戻りそれ以降の処理を繰り返す。なお、補完語句生成部２８は、処理Ｓ３０３において、ｉがＫに達したと判断する場合には（Ｓ３０３：Ｙ）、生成されたフレーズリストをカウント数の降順に並び替え（Ｓ３０９）、並び替えたフレーズリストを出力して（Ｓ３１０）、補完語句生成処理を終了する。
【００４２】
図７には、補完語句生成部２８により生成されるフレーズリストの一例を示した。図７に示されるように、フレーズリストは、順位毎に、語句、カウント数、及びフレーズの元となった文字列ＩＤ（フレーズソースＩＤ）をそれぞれ関連づけたテーブルとして構成されることとしてよい。
【００４３】
作成文書表示制御部３０は、入力部１２に入力される文字情報と、補完語句生成部２８により生成されるフレーズリストに基づいて、作成している文書を表示部１４に表示させるものである。本実施形態では、作成文書表示制御部３０は、補完語句生成部２８により生成されたフレーズリストに基づいて、文書作成画面４２の入力文字列が表示される位置に、フレーズリストに含まれる語句を選択可能に表示するものである。
【００４４】
作成文書表示制御部３０は、フレーズリストに含まれる語句を上位から順に表示することとしてよく、初期状態で表示される順位は予め定めておくこととしてよい。また、表示された語句のうちいずれかがユーザにより選択された場合には、当該選択された語句を入力文字列に続く文字列として作成中の文書に入力することとしてよい。
【００４５】
［第２の実施形態］
次に、本発明の第２の実施形態について説明する。図８には、第２の実施形態に係る文書作成装置１０の機能ブロック図を示した。図８に示されるように、第２の実施形態に係る文書作成装置１０は、入力部１２、表示部１４、参照文書格納部１６、参照文書保持部１８、参照文書表示制御部２０、作成文書保持部２２、入力文字列取得部２４、文字列検索部２６、補完語句生成部２８、作成文書表示制御部３０、そして選択語句記録部３２を備える。第２の実施形態は第１の実施形態と選択語句記録部３２を備える点で相違し、その他の機能については第１の実施形態と同じであるため、以下相違点について説明する。
【００４６】
選択語句記録部３２は、補完語句生成部２８により生成された語句について補完入力に選択された頻度に基づいて、各語句の提示優先度を記録するものである。本実施形態では、選択語句記録部３２は、補完入力に選択された語句が含まれた文書の種類（文書内容、形式等により定められる文書属性）毎に頻度を記録することとしてよい。具体的には、補完語句生成部２８は、フレーズリストに含まれる各語句の優先度を、当該各語句について計数された頻度に対して、当該各語句が含まれる文書の種類について選択語句記録部３２に記録された頻度を重みとして計算することとしてよい。また、選択語句記録部３２は、補完入力に選択された各語句についての頻度を記録することとしてもよく、この場合には、補完語句生成部２８は、フレーズリストに含まれる各語句の優先度を、当該各語句について計数された頻度に対して、選択語句記録部３２により記録される語句の頻度を重みとして計算することとしてもよい。
【００４７】
［第３の実施形態］
次に、本発明の第３の実施形態について説明する。図９には、第３の実施形態に係る文書作成装置１０の機能ブロック図を示した。図９に示されるように、第３の実施形態に係る文書作成装置１０は、入力部１２、表示部１４、参照文書格納部１６、参照文書保持部１８、参照文書表示制御部２０、作成文書保持部２２、入力文字列取得部２４、文字列検索部２６、補完語句生成部２８、作成文書表示制御部３０、そして語句候補情報格納部３４及び補完語句検索部３６を備える。第３の実施形態は第１の実施形態と語句候補情報格納部３４及び補完語句検索部３６を備える点で相違し、その他の機能については第１の実施形態と同じであるため、以下相違点について説明する。
【００４８】
語句候補情報格納部３４は、予め定められた語句の生成規則に基づいて生成した辞書情報を格納したものである。例えば、辞書情報は、ユーザの入力履歴に基づいて生成することとしてもよいし、既存の文書から語句を抽出して生成することとしてもよい。
【００４９】
補完語句検索部３６は、入力文字列に基づいて、語句候補情報格納部３４に格納された辞書情報の中から補完候補となる語句を検索するものである。
【００５０】
補完語句生成部２８は、文字列検索部２６により検索された文字列と、補完語句検索部３６により検索された語句との両者を用いて補完候補の語句を生成することとしてよい。この際に、補完語句生成部２８は、フレーズリストに含まれる語句のうち、語句候補情報格納部３４に格納される辞書情報から選択された語句と一致するものについては、提示優先度を増加させることとしてよい。
【００５１】
［第４の実施形態］
次に、本発明の第４の実施形態について説明する。図１０には、第４の実施形態に係る文書作成装置１０の機能ブロック図を示した。図１０に示されるように、第４の実施形態に係る文書作成装置１０は、入力部１２、表示部１４、参照文書格納部１６、参照文書保持部１８、参照文書表示制御部２０、作成文書保持部２２、入力文字列取得部２４、文字列検索部２６、補完語句生成部２８、作成文書表示制御部３０、そして選択語句記録部３２、語句候補情報格納部３４及び補完語句検索部３６を備える。なお、第４の実施形態は、第２の実施形態と第３の実施形態とを組み合わせたものに相当する。
【００５２】
具体的には、本実施形態では、選択語句記録部３２は、補完語句生成部２８により生成されたフレーズリストに含まれる各語句の補完入力に用いられた選択頻度に基づいて、参照文書から検索された文字列と、辞書情報から検索された語句とのいずれの経路から得られた語句を選択する頻度が高いかを記録する。そして、補完語句生成部２８は、選択語句記録部３２により記録された頻度を優先度の重みとして、参照文書から検索された語句と辞書情報から検索された語句のそれぞれの提示優先度を算出することとしてよい。
【００５３】
本発明は、上記の実施形態に限定されるものではない。例えば、上記の実施形態では、文書作成装置１０をスタンドアロンの装置として構成したが、文書作成装置１０をサーバーとして構成し、クライアントの装置から入力される文字情報に基づいて補完候補の語句を生成し、クライアントの装置において作成文書と共に補完候補の語句を表示させることとしてもよい。
【符号の説明】
【００５４】
１０  文書作成装置、１２  入力部、１４  表示部、１６  参照文書格納部、１８  参照文書保持部、２０  参照文書表示制御部、２２  作成文書保持部、２４  入力文字列取得部、２６  文字列検索部、２８  補完語句生成部、３０  作成文書表示制御部、３２  選択語句記録部、３４  語句候補情報格納部、３６  補完語句検索部、４０  ＵＩ画面、４２  文書作成画面、４４  参照文書表示画面。
【図１】
2011048482.tif 000003
【図２】
2011048482.tif 000004
【図３】
2011048482.tif 000005
【図４】
2011048482.tif 000006
【図５】
2011048482.tif 000007
【図６】
2011048482.tif 000008
【図７】
2011048482.tif 000009
【図８】
2011048482.tif 000010
【図９】
2011048482.tif 000011
【図１０】
2011048482.tif 000012